(57)【要約】【課題】屋根に加工する必要がなくて、寸法調整も不要で、勾配屋根に設置される屋根設置物の棟側の端部に取り付けるだけで雪落としが可能な端部カバーを提供する。【解決手段】勾配屋根１に設置される屋根設置物２の棟側の端部に取り付けられる棟側端部カバー６であって、屋根設置物２の棟側の屋根上に積もる雪を屋根設置物２の上面側に案内する傾斜面６１を備える。また、勾配屋根１に設置される屋根設置物２の軒側の端部に取り付けられる軒側端部カバー７も、屋根設置物２の上面に積もる雪を軒側に案内する傾斜面７１を備える。【選択図】図１
2015200128.tif 000002
【特許請求の範囲】
【請求項１】
勾配屋根に設置される屋根設置物の棟側の端部に取り付けられる端部カバーであって、
前記屋根設置物の棟側の屋根上に積もる雪を前記屋根設置物の上面側に案内する傾斜面を備えることを特徴とする屋根設置物の端部カバー。
【請求項２】
請求項１に記載の屋根設置物の棟側の端部カバーに加えて、
勾配屋根に設置される屋根設置物の軒側の端部に取り付けられる端部カバーも、
前記屋根設置物の上面に積もる雪を軒側に案内する傾斜面を備えることを特徴とする屋根設置物の端部カバー。
【請求項３】
請求項１に記載の屋根設置物の棟側の端部カバーにおいて、
前記屋根設置物の棟側端部を保持する端部保持具に係合する係合部を備えることを特徴とする屋根設置物の端部カバー。
【請求項４】
請求項２に記載の屋根設置物の軒側の端部カバーにおいて、
前記屋根設置物の軒側端部を保持する端部保持具に係合する係合部を備えることを特徴とする屋根設置物の端部カバー。
【請求項５】
請求項１から４のいずれか一項に記載の屋根設置物の端部カバーにおいて、
上面も傾斜していることを特徴とする屋根設置物の端部カバー。
【発明の詳細な説明】
【技術分野】
【０００１】
本発明は、勾配屋根に設置される太陽電池パネル等の屋根設置物の端部を覆うカバーに関する。
【背景技術】
【０００２】
建築物の勾配屋根に固定したフレーム上に設置される太陽電池パネルの棟側に設ける棟側水切りが特許文献１に開示される。
この特許文献１の棟側水切りは、勾配屋根を流れる雨水が太陽電池パネルと野地板との間の空間に浸入しないように、棟側の端部が野地板に固定されて、太陽電池パネルの上面と面一になるように、軒側の端部がフレームに固定される。
【先行技術文献】
【特許文献】
【０００３】
【特許文献１】特開２０１２−２４６６１７号公報
【発明の概要】
【発明が解決しようとする課題】
【０００４】
ところで、多雪地域においては、屋根に積もった雪を落とす必要があり、勾配屋根に太陽電池パネルを設置した場合には、その太陽電池パネルの棟側に積もった雪を落とす対策が必要となる。
その場合、特許文献１の棟側水切りでも、太陽電池パネルの棟側に積もった雪を案内して太陽電池パネルの上面から落とし得ることが見込める。
しかし、特許文献１の棟側水切りでは、大棟に加工する必要があり、また、大棟から太陽電池パネルまでの寸法調整が必要となり、施工が面倒なものとなる。
【０００５】
そこで、本発明は、屋根に加工する必要がなくて、寸法調整も不要で、勾配屋根に設置される屋根設置物の棟側の端部に取り付けるだけで雪落としが可能な端部カバーを提供することを目的とする。
【課題を解決するための手段】
【０００６】
以上の課題を解決するため、請求項１に記載の発明は、例えば図１及び図２に示すように、
勾配屋根１に設置される屋根設置物２の棟側の端部に取り付けられる端部カバー６であって、
前記屋根設置物２の棟側の屋根１上に積もる雪を前記屋根設置物２の上面側に案内する傾斜面６１を備えることを特徴とする。
【０００７】
請求項１に記載の発明によれば、勾配屋根１に設置される屋根設置物２の棟側の屋根１上に積もる雪を屋根設置物２の上面側に案内する傾斜面６１を備える端部カバー６なので、大棟に加工する必要がなくて、寸法調整も不要で、屋根設置物２の棟側端部に取り付けるだけで雪落としが可能な棟側端部カバー６を提供することができる。
【０００８】
請求項２に記載の発明は、例えば図１及び図３に示すように、
請求項１に記載の屋根設置物の棟側の端部カバー６に加えて、
勾配屋根１に設置される屋根設置物２の軒側の端部に取り付けられる端部カバー７も、
前記屋根設置物２の上面に積もる雪を前記屋根設置物２の軒側に案内する傾斜面７１を備えることを特徴とする。
【０００９】
請求項２に記載の発明によれば、勾配屋根１に設置される屋根設置物２の上面に積もる雪を軒側の屋根１上に案内する傾斜面７１を備える端部カバー７なので、屋根１に加工する必要がなくて、寸法調整も不要で、屋根設置物２の軒側端部に取り付けるだけで雪落としが可能な軒側端部カバー７を提供することができる。
【００１０】
請求項３に記載の発明は、例えば図４に示すように、
請求項１に記載の屋根設置物２の棟側の端部カバー６において、
前記屋根設置物２の棟側端部を保持する端部保持具４に係合する係合部６３・６４を備えることを特徴とする。
【００１１】
請求項３に記載の発明によれば、屋根設置物２の棟側端部を保持する端部保持具４に係合する係合部６３・６４を備える端部カバー６であり、屋根設置物２の棟側端部保持具４に係合部６３・６４を係合するだけなので、端部カバー６を簡単に取り付けることができる。
【００１２】
請求項４に記載の発明は、
請求項２に記載の屋根設置物２の軒側の端部カバー７において、
前記屋根設置物２の軒側端部を保持する端部保持具５に係合する係合部を備えることを特徴とする。
【００１３】
請求項４に記載の発明によれば、屋根設置物２の軒側端部を保持する端部保持具５に係合する係合部を備える端部カバー７であり、屋根設置物２の軒側端部保持具５に係合部を係合するだけなので、端部カバー７を簡単に取り付けることができる。
【００１４】
請求項５に記載の発明は、例えば図４に示すように、
請求項１から４のいずれか一項に記載の屋根設置物２の端部カバー６において、
上面６２も傾斜していることを特徴とする。
【００１５】
請求項５に記載の発明によれば、棟側または軒側の端部カバー６の上面６２も傾斜しているので、その上面６２の傾斜により雪を下方へ流れやすくすることができる。
【発明の効果】
【００１６】
本発明によれば、屋根に加工する必要がなくて、寸法調整も不要で、勾配屋根に設置される屋根設置物の棟側の端部に取り付けるだけで雪落としが可能な端部カバーを提供することができる。
【図面の簡単な説明】
【００１７】
【図１】本発明に係る端部カバーを示す勾配屋根に設置される屋根設置物部分の縦断側面図である。
【図２】図１の棟側端部カバー部分の拡大図である。
【図３】図１の軒側端部カバー部分の拡大図である。
【図４】棟側端部カバーの係合構造を変形例と併せて示す側面図である。
【発明を実施するための形態】
【００１８】
以下、図面を参照して本発明の実施の形態について説明する。
（実施形態）
図１は勾配屋根に設置される屋根設置物に取り付ける本発明に係る端部カバー部分を示すもので、１は勾配屋根、２は太陽電池パネル（屋根設置物）、３はそのパネル取付支持具、４は棟側端部保持具、５は軒側端部保持具、６は棟側端部カバー、７は軒側端部カバー、Ｏは大棟である。
【００１９】
図示のように、勾配屋根１の上には、太陽電池パネル２が、大棟Ｏで示される棟側と、その反対の軒側及びその中間部において、レール状のパネル取付支持具３により設置されている。
すなわち、勾配屋根１の上に棟側、軒側及びその中間部のパネル取付支持具３が各々ボルト結合してそれぞれ固定されており、この棟側、軒側及び中間部のパネル取付支持具３の上に太陽電池パネル２が載置されている。
【００２０】
この太陽電池パネル２は、棟側及び軒側のパネル取付支持具３の上に各々ボルト結合してそれぞれ固定した断面略Ｌ字状の棟側端部保持具４及び軒側端部保持具５により太陽電池パネル２の棟側端部と軒側端部が各々の上面を押えて挟み込むようにぞれぞれ保持されている。
また、太陽電池パネル２は、図示のように、棟側及び軒側の中間部のパネル取付支持具３の上において、通しボルト結合して固定されている。
【００２１】
そして、太陽電池パネル２の棟側端部保持具４を利用して棟側端部カバー６が取り付けられている。
同様に、太陽電池パネル２の軒側端部保持具５を利用して軒側端部カバー７が取り付けられている。
【００２２】
図２は図１の棟側端部カバー６部分を拡大したもので、図示のように、太陽電池パネル２の棟側端部を保持する断面略Ｌ字状の棟側端部保持具４を覆う形状の棟側端部カバー６を、棟側端部保持具４にねじ止め等して取り付ける。
この棟側端部カバー６は、多雪地域の冬季において、太陽電池パネル２の棟側の屋根１上に積もる図示しない雪を太陽電池パネル２の上面側に案内するための傾斜面６１が形成されていて、図示例では、棟側端部保持具４の上面と略面一となるように上面６２が形成されている。
【００２３】
以上、実施形態の棟側端部カバー６によれば、勾配屋根１に設置される太陽電池パネル２の棟側の屋根１上に積もる雪を太陽電池パネル２の上面側に案内する傾斜面６１を備えるため、大棟に加工する必要がなくて、寸法調整も不要であり、太陽電池パネル２の棟側端部に取り付けるだけで、その傾斜面６１により太陽電池パネル２の棟側の屋根１上に積もる雪を太陽電池パネル２の上面側に案内して雪落としすることができる。
【００２４】
さらに、棟側端部保持具４及びその固定ボルトを棟側端部カバー６により覆って保護することができる。
【００２５】
なお、レール状のパネル取付支持具３の横方向の間は、屋根面に沿って棟側から軒側に雨水が流れ落ちる。
【００２６】
図３は図１の軒側端部カバー７部分を拡大したもので、図示のように、太陽電池パネル２の軒側端部を保持する断面略Ｌ字状の軒側端部保持具５を覆う形状の軒側端部カバー７を、軒側端部保持具５にねじ止め等して取り付ける。
【００２７】
この軒側端部カバー７は、多雪地域の冬季において、太陽電池パネル２の上面に積もる図示しない雪を軒側に案内するための傾斜面７１が形成されていて、図示例では、傾斜面７１の下端がパネル取付支持具３の軒側に向けて下方へ伸びて、屋根面との間に空間が形成されている。
【００２８】
このように、実施形態の軒側端部カバー７も、勾配屋根１に設置される太陽電池パネル２の上面に積もる雪を軒側に案内する傾斜面７１を備えるため、屋根１に加工する必要がなくて、寸法調整も不要であり、太陽電池パネル２の軒側端部に取り付けるだけで、その傾斜面７１により太陽電池パネル２の上面に積もる雪を軒側の屋根１上に案内して雪落としすることができる。
【００２９】
さらに、レール状のパネル取付支持具３の横方向の間を屋根面に沿って棟側から軒側に流れ落ちる雨水や落ち葉などの塵は、軒側のパネル取付支持具３の軒側において、軒側端部カバー７の傾斜面７１の下方に伸びた下端と屋根面との間の空間から流れ落ちる。
【００３０】
また、軒側端部保持具５及びその固定ボルトも軒側端部カバー７により覆って保護される。
【００３１】
（棟側端部カバーの係合構造及び変形例）
図４は棟側端部カバー６の係合構造を変形例と併せて示すもので、図示のように、棟側端部カバー６には、傾斜面６１から角度を持って連続して棟側端部保持具４の上面に角度を持って略連続するように傾斜する上面６２が形成されている。
すなわち、上面６２は、棟側端部保持具４の上端部と、傾斜面６１の上端との間に設けられ、かつ太陽電池パネル２の上面よりも屋根面側（下方）に傾斜している。
【００３２】
さらに、棟側端部カバー６の内面には、棟側端部保持具４の上端部に形成された穴部に嵌まり込むように係合する係合膨大部６３が形成されるとともに、棟側端部保持具４の下部から形成された立ち上がり部に嵌まり込むように係合する係合爪部６４が形成されている。
【００３３】
このように、棟側端部カバー６の上面６２も傾斜しているため、その上面６２の傾斜により雪を下方の太陽電池パネル２上面へ流れやすくすることができる。
【００３４】
しかも、太陽電池パネル２の棟側端部保持具４に形成された穴部等に各々係合する係合膨大部６３及び係合爪部６４を備える棟側端部カバー６であり、太陽電池パネル２の棟側端部保持具４に係合膨大部６３及び係合爪部６４をそれぞれ嵌め込むように係合するだけのため、棟側端部カバー６を簡単に取り付けることができる。
【００３５】
（棟側端部カバーの変形例）
なお、軒側端部カバー７の上面を、軒側端部保持具５の上面から角度を持って略連続して傾斜面７１に角度を持って連続するように傾斜させて形成してもよい。
すなわち、軒側端部カバー７の上面は、軒側端部保持具５の上端部と、傾斜面７１の上端との間に設けられ、かつ太陽電池パネル２の上面よりも屋根面側（下方）に傾斜させておく。
このように、軒側端部カバー７の上面も傾斜させておけば、その上面の傾斜により雪を下方の屋根１上へ流れやすくすることができる。
【００３６】
（他の変形例）
以上の実施形態においては、屋根設置物を太陽電池パネルとしたが、本発明はこれに限定されるものではなく、他の屋根設置物であってもよい。
また、実施形態では、棟側端部カバーに係合膨大部及び係合爪部を設けて棟側端部保持部との係合構造としたが、軒側端部カバーにも同様の係合膨大部及び係合爪部を設けて軒側端部保持部との係合構造としてもよい。
さらに、端部保持具、端部カバー及び係合部の形状等も任意であり、その他、具体的な細部構造等についても適宜に変更可能であることは勿論である。
【符号の説明】
【００３７】
１  勾配屋根
２  屋根設置物
３  パネル取付支持具
４  棟側端部保持具
５  軒側端部保持具
６  棟側端部カバー
６１  傾斜面
６２  上面
６３  係合部
６４  係合部
７  軒側端部カバー
７１  傾斜面
Ｏ  大棟
【図１】
2015200128.tif 000003
【図２】
2015200128.tif 000004
【図３】
2015200128.tif 000005
【図４】
2015200128.tif 000006